(57)【特許請求の範囲】
【請求項１】
所定数の表目と裏目が交互に配置されるリブ編地の最終ループに続いて形成される伏目編目列の伏目ループが隣接する最終ループと重ねられ、該重ね目に続いて形成された伏目編目列の伏目ループが伏目処理領域の一端側から他端側に向かい連続する伏目編目列を形成して伏目処理された編地であって、
伏目編目列の伏目ループがリブ編部よりも細い編糸により形成され、編地側端から奇数番目のウエールの最終ループに続いて形成された伏目編目列の伏目ループと、偶数番目のウエールの最終ループに続いて形成された伏目編目列の伏目ループが隣接する最終ループの裏側に重ねられているとともに、奇数番目のウエールの最終ループに続いて形成された伏目ループと偶数番目のウエールの最終ループに続いて形成された伏目ループが互いに交差していることを特徴とする編地。
【請求項２】
伏目ループがリブ編部の編成に使用される編糸より細番手の編糸、またはリブ編部の編成に使用された編糸の糸取り本数より少ない糸取り本数の編糸により形成されていることを特徴とする請求項１に記載の編地。
【請求項３】
伏目ループが伸縮性糸により形成されていることを特徴とする請求項１に記載の編地。
【請求項４】
少なくとも第１針ベッドと第２針ベッドが対向配置される前後一対の針ベッドを備え、各針ベッドは多数の針を備え、前後に対向配置される第１針ベッドと第２針ベッド間の領域を歯口とし、かつ少なくとも一方の針ベッドが左右に摺動可能で、針ベッドの針に給糸するための少なくとも１つの給糸口を備えた横編機を使用したリブ編地終端部の伏目処理方法であって、
１）  リブ編地の最終コースのループを第１針ベッドの針に係止される第１ループ群と、第２針ベッドの針に係止される第２ループ群に交互に振り分ける工程、
２）  編地の少なくとも一方の側端から以下のステップａ、ｂ、ｃを繰り返す工程：
ａ：前記第１針ベッド上の針に係止される第１ループ群のループを保持している針、および第２針ベッド上の針に係止される第２ループ群のループを保持している針にリブ編部よりも細い編糸を給糸して新たな伏目ループを形成するステップ
ｂ：第１ループ群のループに続けて形成した伏目ループと、第２ループ群のループに続けて形成した伏目ループを互いに巻回しあうように前後針ベッド間で目移しして交差させるステップ
ｃ：第１ループ群のループに続けて形成した伏目ループを、隣接する第１ループ群のループと重ね、第２ループ群のループに続けて形成した伏目ループを隣接する第２ループ群のループと重ねるステップ
を含むことを特徴とする伏目処理方法。
【請求項５】
少なくとも第１針ベッドと第２針ベッドが対向配置される前後一対の針ベッドを備え、各針ベッドは多数の針を備え、前後に対向配置される第１針ベッドと第２針ベッド間の領域を歯口とし、かつ少なくとも一方の針ベッドが左右に摺動可能で、針ベッドの針に給糸するための少なくとも１つの給糸口を備えた横編機を使用したリブ編地終端部の伏目処理方法であって、
（１）  リブ編地の最終コースのループを第１針ベッドの針に係止される第１ループ群と、第２針ベッドの針に係止される第２ループ群に振り分ける工程、
（２）  少なくとも前記第１ループ群の側端ウエールの最終ループと第２ループ群の側端ウエールの最終ループを起点としてリブ編部よりも細い編糸で２列以上の伏目編目列を形成する工程、
（３）  前記伏目編目列を形成していく間に、前記各伏目編目列が第１ループ群から第２ループ群へ、そして第２ループ群から第１ループ群へとジグザグ状に延びて各伏目編目列が交差するように、形成される伏目ループを対向する編地の最終ループに重ねる工程、
を含むことを特徴とする伏目処理方法。
【請求項６】
編成される編地が第一編地と第二編地がそれぞれ両端部で連続する状態で編成される筒状編地であって、第一編地を伏目処理する間、第二編地の編地最終ループを何れか一方の針ベッド上に保持して第一編地の伏目処理し、第一編地の伏目処理完了後、第二編地を伏目処理することを特徴とする請求項４または請求項５の何れかの項に記載の伏目処理方法。
【発明の詳細な説明】
技術分野
本発明は多数の編針を設けた針ベッドを少なくとも二枚以上前後に対向配置した横編機を用いて編地の最終ループが解れ止め処理された編地および伏目処理方法に関する。
背景技術
横編機では編み始め側端部で編出し編成と呼ばれる編成に続いて所望の組織・形状の編地（以下、グランド部と呼ぶ）を編成し、編地の編み終わり側端部で伏目処理と呼ばれる編成により編地の最終ループに対し解れ止めを施すことで、横編機上での編成完了後の解れ止め処理が不要な編地を編成することができる。編出し編成は前後両針ベッドの針に交互に給糸する編出しコース、編出しコースに続いて前ベッド上および後ベッド上の編針に係止されるループに連続して給糸する止め編コースからなる。編地の編み始め側端部を上記編出し編成により形成することで、編出し部が解れ出すことなく保持される。編地の編み終わり側端部では、グランド部の最後のコースである編地の最終ループに続いて伏目編目列の伏目ループを形成し、新たに形成したループを隣接するウエールの最終ループと重ね合わせた後、該重ね目に続いて次コースのループを形成する編成を繰り返すことで編地の一端側から他端側に向かい連続する伏目編目列を形成する伏目処理と呼ばれる編成を行う。伏目処理を行うことで編地の編み終わり側端部が解れ出すことなく保持される。
伏目処理の過程で形成される伏目編目列の伏目ループは、隣接するウエールの最終ループと重ねられ、グランド部のループと交差する方向に保持される。このように従来の伏目処理方法により伏目処理した編地では、伏目処理部に向きの異なる伏目編目列のループが現れる。したがって例えば編出し部と伏目処理部が間近に形成される帯状の編地を編成する場合には、編出し部と伏目処理部の編組織の違いが容易に認識され、編出し部と伏目処理箇所の外観が明らかに異なる。
発明の開示
上記した問題を解決するため、本発明は所定数の表目と裏目が交互に配置されるリブ編地の最終ループに続いて形成される伏目編目列の伏目ループが隣接する最終ループと重ねられ、該重ね目に続いて形成された伏目編目列の伏目ループが伏目処理領域の一端側から他端側に向かい連続する伏目編目列を形成して伏目処理された編地であって、
伏目編目列の伏目ループがリブ編部よりも細い編糸により形成され、編地側端から奇数番目のウエールの最終ループに続いて形成された伏目編目列の伏目ループと、偶数番目のウエールの最終ループに続いて形成された伏目編目列の伏目ループが隣接する最終ループの裏側に重ねられているとともに、奇数番目のウエールの最終ループに続いて形成された伏目ループと偶数番目のウエールの最終ループに続いて形成された伏目ループが互いに交差していることを特徴とする。
また、伏目ループがリブ編部の編成に使用された編糸より細番手の編糸、またはリブ編部の編成に使用された編糸の糸取り本数より少ない糸取り本数の編糸により形成されていることも特徴の一つである。
また、伏目ループが伸縮性糸により形成されていることも特徴の一つである。
また、少なくとも第１針ベッドと第２針ベッドが対向配置される前後一対の針ベッドを備え、各針ベッドは多数の針を備え、前後に対向配置される第１針ベッドと第２針ベッド間の領域を歯口とし、かつ少なくとも一方の針ベッドが左右に摺動可能で、針ベッドの針に給糸するための少なくとも１つの給糸口を備えた横編機を使用したリブ編地終端部の伏目処理方法であって、
１）  リブ編地の最終コースのループを第１針ベッドの針に係止される第１ループ群と、第２針ベッドの針に係止される第２ループ群に交互に振り分ける工程、
２）  編地の少なくとも一方の側端から以下のステップａ、ｂ、ｃを繰り返す工程：
ａ：前記第１針ベッド上の針に係止される第１ループ群のループを保持している針、および第２針ベッド上の針に係止される第２ループ群のループを保持している針にリブ編部よりも細い編糸を給糸して新たな伏目ループを形成するステップ
ｂ：第１ループ群のループに続けて形成した伏目ループと、第２ループ群のループに続けて形成した伏目ループを互いに巻回しあうように前後針ベッド間で目移しして交差させるステップ
ｃ：第１ループ群のループに続けて形成した伏目ループを、隣接する第１ループ群のループと重ね、第２ループ群のループに続けて形成した伏目ループを隣接する第２ループ群のループと重ねるステップ
を含むことを特徴とする。上記発明の構成によれば、リブ編部の編成に使用された編糸より細い編糸、例えば細番手の編糸や、糸取り本数を減らした編糸、または伸縮性の編糸等を使用して伏目処理を行う。第１ループ群の最終ループに続いて形成される伏目ループと、第２ループ群の最終ループに続いて形成される伏目ループ同士が交差して伏目処理される。第１ループ群の最終ループに続いて形成された伏目ループは隣接する第１ループ群のループと重ねられ、第２ループ群の最終ループに続いて形成されたループは隣接する第２ループ群のループと編地の編成完了時に編地の最終ループの下に隠れるように重ねられ、編地の最終ループの下に潜り込む。奇数番目のウエールの最終ループに続いて形成された伏目ループと、偶数番目の最終ループに続いて形成されたループは前後針ベッド間で目移しされて伏目ループが互いに交差する。伏目ループは伏目処理部の表側に現れず編出し部に似た外観の伏目処理部が形成される。
また、少なくとも第１針ベッドと第２針ベッドが対向配置される前後一対の針ベッドを備え、各針ベッドは多数の針を備え、前後に対向配置される第１針ベッドと第２針ベッド間の領域を歯口とし、かつ少なくとも一方の針ベッドが左右に摺動可能で、針ベッドの針に給糸するための少なくとも１つの給糸口を備えた横編機を使用したリブ編地終端部の伏目処理方法であって、
（１）  リブ編地の最終コースのループを第１針ベッドの針に係止される第１ループ群と、第２針ベッドの針に係止される第２ループ群に振り分ける工程、
（２）  少なくとも前記第１ループ群の側端ウエールの最終ループと第２ループ群の側端ウエールの最終ループを起点としてリブ編部よりも細い編糸で２列以上の伏目編目列を形成する工程、
（３）  前記伏目編目列を形成していく間に、前記各伏目編目列が第１ループ群から第２ループ群へ、そして第２ループ群から第１ループ群へとジグザグ状に延びて各伏目編目列が交差するように、形成される伏目ループを対向する編地の最終ループに重ねる工程、
を含むことも特徴の一つである。上記した発明の構成によればリブ編地の最終ループに続いてリブ編部の編成に使用された編糸より細い編糸、例えば細番手の編糸や、糸取り本数を減らした編糸、または伸縮性の編糸等を使用して伏目処理を行う。伏目編目列は、第１ループ群および第２ループ群の側端のループを起点とする少なくとも２列以上の伏目編目列が形成される。各伏目編目列は第１ループ群と第２ループ群へジグザグ状に延び、各伏目編目列は互いに交差した状態で編地の最終ループと編地の編成完了時に編地の最終ループの下に隠れるように重ねられる。各伏目編目列は互いに他の伏目編目列を押さえ込まれる。
また、編成される編地が第一編地と第二編地がそれぞれ両端部で連続する状態で編成される筒状編地であって、第一編地を伏目処理する間、第二編地の編地の最終ループを何れか一方の針ベッド上に保持して第一編地の伏目処理し、第一編地の伏目処理完了後、第二編地を伏目処理することも特徴の一つである。
発明を実施するための最良の形態
本発明の実施の一例を図面を参照して説明する。本実施の形態では上面に形成される針溝内に進退動自在に装着した多数の編針を備えた針ベッドがその頭部が向かい合った状態で前後一対に対向配置され、前後針ベッド間の歯口上を針ベッドの長手方向に設けられるガイドレールに沿って往復動可能な給糸口を備えた二枚ベッド横編機を使用する。しかしながら、前後一対の下部針ベッド上の少なくとも何れかの針ベッド上に上部補助ベッドが設けられる三枚乃至四枚ベッド横編機においても実施可能である。また、本実施の形態では後ベッドが前ベッドに対し相対移動（以下、ラッキングと呼ぶ）可能な横編機を使用する。
＜第一実施例＞
第一実施例を第１図および第２〜５図の編成コース図を使用し、２×２リブ編地を伏目処理する場合を説明する。第１図は編成対象の帯状編地１を示す。帯状編地１は編出し箇所２から編出し編成を行って編成を開始し、所望の編組織で編成されるリブ編部３を形成した後、編地終端部４が伏目処理される。編出し編成から続くリブ編部３の編成に関しては従来と同じであるため、以下の説明ではリブ編部３までの編成が完了した第２図のコース１から説明を行う。なお、編成コース図において左右方向の矢印は編成方向を、上下方向の矢印は目移し方向を示す。以下の説明において伏目処理の進行方向とは帯状編地１の右端から左端に向かう方向を意味するものとする。また、後ベッドのラッキング状態を前後針ベッドが対向する状態をラッキング原点とし、その状態から何ピッチラッキングしているかを後ベッド右側に示す。
コース１では表目と裏目が２ウエール毎に入れ替わる２×２リブ編地の最終ループが係止されている。前ベッドＦＢの針Ｂ・Ｃ・Ｆ・Ｇ・Ｊ・Ｋに表目が、後ベッドＢＢの針ａ・ｄ・ｅ・ｈ・ｉ・ｌに裏目が係止される。コース２〜４では編出し編成の止め編みに相当する袋編を行うため、コース２で表目、コース３で裏目、コース４で表目を係止した針に給糸口１０により給糸する。コース５では前ベッドＦＢの針Ｂ・Ｆ・Ｊのループを後ベッドＢＢに目移しし、コース６では後ベッドＢＢを左１ピッチとした後、コース５で目移ししたループをそれぞれ前ベッドＦＢの針に目移しする。これにより表目が前ベッドＦＢの一本置きの針に係止される。コース７では後ベッドＢＢを右１ピッチとして後ベッドＢＢの針ａ・ｅ・ｉのループを前ベッドＦＢの針に目移しし、コース８では後ベッドＢＢの振りを戻してコース７で目移ししたループをそれぞれ後ベッドＢＢの針に目移しする。これにより裏目が後ベッドＢＢの一本置きの針に係止される。
以下、コース９よりリブ編部３での編成に使用した給糸口１０と異なる給糸口１１を使用して伏目処理を行う。伏目処理に使用する給糸口１１は給糸口１０に比べ細番手の編糸を給糸する。コース９以降の説明では、説明の便宜上、コース９において前ベッドＦＢの針Ａ・Ｃ・Ｅ・Ｇ・Ｉ・Ｋに係止される編地の左端から奇数番目のウエールの最終ループを前ループ群のループと呼び白丸で示す。同様に後ベッドＢＢの針ｂ・ｄ・ｆ・ｈ・ｊ・ｌに係止される偶数番目のウエールの最終ループを後ループ群とのループと呼び黒丸で示す。コース９では伏目処理領域において、伏目処理の進行方向において最も上手側に位置し、後ベッドＢＢの針ｌに係止される後ループ群の右端のループ１２を前ベッドＦＢの針Ｌに目移しする。そしてコース１０ではループ１２に伏目処理に使用する給糸口１１により次コースのループ１３を形成する。コース１１ではループ１３を後ベッドＢＢの針１に移し戻し、コース１２では後ベッドＢＢを左２ピッチとした後、ループ１３を前ベッドＦＢの針Ｊに目移しする。コース１３では、前ベッドＦＢの針Ｋに係止される前ループ群の右端のループ１４を後ベッドＢＢの針ｋに目移しする。コース１４ではループ１４に次コースのループ１５を形成し、コース１５ではループ１５を前ベッドＦＢの針Ｋに移し戻す。そしてコース１６では後ベッドＢＢを右２ピッチとした後、ループ１５を後ベッドＢＢの針ｉに目移しする。この時、前ベッドＦＢの針Ｊのループ１３と後ベッドＢＢの針ｊのループ１６間に糸が渡っているため、針ｉにループ１５を移すことで前ループ群のループと後ループ群のループが交差する。コース１７では後ベッドＢＢの振りを戻した後、針ｊのループ１６を前ベッドＦＢの針Ｊに目移しし、ループ１３と重ねて重ね目とする。コース１８では針Ｊに給糸して重ね目に次コースの伏目ループ１７を係止し、コース１９ではループ１７を後ベッドＢＢの針ｊに目移しする。コース２０では後ベッドＢＢを左２ピッチとした後、ループ１７を前ベッドＦＢの針Ｈに目移しする。この時、針Ｈに目移ししたループ１７は針ｉのループ１５と針Ｉのループ１８間に渡っている編糸を越えて前ベッドＦＢに目移しされる。コース２１では後ベッドＢＢの振りを戻した後、針Ｉのループ１８を後ベッドＢＢの針ｉに目移しし、ループ１５と重ねて重ね目を形成する。コース２２では後ベッドＢＢの針ｉに給糸して次コースのループ１９を形成し、コース２３では新たに形成したループ１９を前ベッドＦＢの針Ｉに目移しし、コース２４では後ベッドＢＢを右２ピッチとした後、後ベッドＢＢの針ｇに目移しする。以降コース１７〜２４の編成を対象となるループを伏目処理の進行方向に移しながら繰り返すことで前ループ群のループおよび後ループ群のループが交互に編地の最終ループと重ねられ、解れ止め処理されて針から外されてゆく。
上記編成により伏目処理された編地は、後ループ群の最終ループに続いて形成された伏目ループ１３と、前ループ群の最終ループに続いて形成された伏目ループ１５が交差し、伏目ループ１７と１９が交差する。伏目編目列の伏目ループ１３、１５、１７、１９は、編地の編成完了時に編地の最終ループ１６、１８の下側となるように重ねられるので、伏目ループ１３、１５、１７、１９は、編地の最終ループ１６、１８の下に潜り込む。したがって、向きの異なる伏目ループが最終ループに隠れ編地終端部の表側に現れない。また、伏目処理部の伏目ループをリブ編部３の編成に使用される編糸より細い編糸を使用して形成している。伏目編目列にループの高さ方向に力がかかった場合、同じループ長で形成されるループの高さ方向への伸びは、ループ内に挿通されている次コースのループを構成する編糸の太さにより影響される。ループの高さ方向に伸ばされる方向に力がかかった場合、細い編糸ではループ長の大部分がループの高さ方向に変換され、ループの高さ方向の伸張性に優れるのに対し、太い編糸の場合ではループ長の一部がループの幅方向に変換されるため、細い編糸に比べループの高さ方向の伸張性に劣る。このようにリブ編部３の編成に使用する編糸より細い編糸を使用して編成を行うことで伏目処理部の伸張性が増す。さらに伏目処理部が縮んで伏目編目列に弛みが生じても、伏目編目列が最終ループの下に隠れているため、伏目処理部の外観を損なう虞がない。
また、上記実施例のように伏目処理に先だって袋編を行った場合には、伏目処理箇所がリブ編部→袋編（止めコース２〜４）→伏目処理（コース５〜２４）となる。伏目処理で形成された伏目ループは編地の最終ループの下に潜るため、伏目処理部は編出しコース→止めコース（袋編）→リブ編部の順に編成される編出し編成を逆に行ったのと同様の編成となり、伏目処理部に編出し部と同様の編組織が形成される。
なお、上記実施例では単層の編地を伏目処理する場合を説明したが、第６図に示すような前側編地２１と後側編地２２がその両端で連続する筒状編地２３を伏目処理することも可能である。筒状編地を伏目する場合には、編成コース第７図に示す様に、コース１で後側編地のループ（四角）を全て後ベッドＢＢ上の１本置きの針に係止させて表側編地２１を編成する。続いてコース２でループの移し替えを行い、コース３では前側編地のループ（白丸）を全て前ベッドＦＢの針に係止させて後側編地２２を編成する。コース４では再びループの移し替えを行いコース１〜４の編成を繰り返すことで筒状の編地２３を編成する。なお、上記した編成の詳細は日本特許広告平３−７５６５６号で詳細に説明されているためこれ以上の詳細な説明を省略する。リブ編部２４の編成完了後、第２図のコース２〜４に相当する袋編を行った後、コース５に示すように後側編地のループ（四角）を全て後ベッドＢＢ上に係止させ、前側編地２１のループを前ベッドＦＢ上の針に係止される前ループ群のループ（白丸）と後ベッドＢＢ上の針に係止される後ループ群のループ（黒丸）に振り分ける。コース５は第３図のコース９に相当し、これ以降、後側編地を後ベッドＢＢの針に係止した状態で前側編地を第２図〜５の伏目処理方法に従って伏目処理する。前側編地２１の伏目処理完了後、後側編地２２を第７図のコース６の様に前ベッドＦＢ上に係止される前ループ群のループ（白四角）と後ループ群のループ（黒四角）に振り分ける。そして左から右に向かって第２図〜５と同様の伏目処理を行うことで筒状編地２３を伏目処理することができる。
なお、上記実施例では２×２リブ編地を伏目処理する場合を説明したが、リブ編部の最終コースのループを第３図のコース８の状態へと最終ループの振り分けを行うことで他のリブ編組織の編地を伏目処理することができる。また、１×１リブ編の場合には、第３図のコース８の目移しが完了した時点と同じ様に前後針ベッドに交互に配置された状態で編成が行われるため、編地最終コースのループを第１針ベッドと第２針ベッドに交互に振り分けるコース５〜８の工程が不要である。更に発明の主旨を逸脱しない範囲内で各部の構成を変更可能である。また、上記実施例では伏目処理に先だってリブ編部に続けて袋編を行ったが必ずしも行う必要はない。また、上記実施例ではリブ編部の編成に使用する編糸より細番手の編糸で伏目編目列を形成したが、細番手の編糸を使用する他に、糸取り本数を減らしたり、ウーリーナイロン等の伸縮性糸を使用してもよい。
＜第二実施例＞
次に第二実施例を編成コース第８〜１４図を使用して２×１リブ編組織を編成する場合を例に説明する。第二実施例においても第１図に示す帯状編地１を編成する。２×１リブ編では前後の針ベッドが針０．５ピッチ左右に位相が異なる右０．５ピッチの状態で編成され、第８図のコース１ではリブ編部の最終ループが係止されている。コース２では後ベッドＢＢの針ａ・ｄ・ｇ・ｊのループを前ベッドＦＢの針Ａ・Ｄ・Ｇ・Ｊに目移しし、コース３では後ベッドを左１ピッチとしてコース２で目移しししたループをそれぞれ後ベッドＢＢの針ｂ・ｅ・ｈ・ｋに目移しする。なお、以下の説明では前ベッドＦＢ上に係止される最終ループを前ループ群のループと呼び白丸で示し、後ベッドＢＢの針に係止される最終ループを後ループ群のループと呼び黒丸で示す。
コース４ではリブ編部の編成に使用した編糸より細番手の編糸を給糸する給糸口３０により後ループ群の右端のループ３１を係止している後ベッドＢＢの針ｌに給糸して１列目の伏目編目列の伏目ループ３２を形成する。コース５ではコース４で形成したループ３２を前ベッドＦＢの針Ｍに目移しする。コース６では前ベッドＦＢの針Ｍに給糸して次コースのループ３３を形成し、コース７ではコース６で形成したループ３３を後ベッドＢＢの針ｌに目移しする。コース８では後ベッドＢＢを左２ピッチとした後、前ベッドＦＢの針Ｉに目移しして編地の最終ループ３４と重ねる。続いてコース９では後ベッドＢＢを戻した後、前ループ群の右端のループ３５を係止している前ベッドＦＢの針Ｌに給糸して２列目の伏目編目列の最初の伏目ループ３６を形成する。コース１０ではコース９で形成したループ３６を後ベッドＢＢの針ｌに目移しする。コース１１では後ベッドＢＢの針ｌに給糸して続く伏目ループ３７を形成し、コース１２ではコース１１で形成したループ３７を前ベッドＦＢの針Ｌに目移しする。コース１３では後ベッドＢＢを右３ピッチとした後、コース１１で形成したループ３７を後ベッドＢＢの針ｉに目移しして編地の最終ループ３８と重ねる。続いてコース１４では後ベッドＢＢを戻した後、後ループ群のループ３９を係止している後ベッドＢＢの針ｋに給糸して３列目の伏目編目列の最初の伏目ループ４０を形成する。コース１５では後ベッドＢＢを右１ピッチとした後、コース１４で形成したループ４０を前ベッドＦＢの針Ｌに目移ししコース１６では前ベッドＦＢの針Ｌに給糸して続く伏目ループ４１を形成する。コース１７ではコース１６で形成したループ４１を後ベッドＢＢの針ｋに目移しし、コース１８では後ベッドＢＢを左３ピッチとした後、前ベッドＦＢの針Ｈに目移しして編地の最終ループ４２と重ねる。コース１９では前ループ群のループ４４を係止している前ベッドＦＢの針Ｋに給糸して４列目の伏目編目列の最初の伏目ループ４５を形成する。コース２０ではコース１９で形成したループ４５を後ベッドＢＢの針ｋに目移しし、コース２１では後ベッドＢＢの針ｋに給糸して次コースの伏目ループ４６を形成する。コース２２ではコース２１で形成したループ４６を前ベッドＦＢの針Ｋに目移しし、コース２３では後ベッドＢＢを右３ピッチとした後、コース２１で形成したループ４６を後ベッドＢＢの針ｈに目移しして後ループ群のループ４８と重ねる。
コース２４では前ベッドＦＢの針ｉに係止されている重ね目に給糸して第１の伏目編目列に続く伏目ループ５１を形成する。コース２５では後ベッドＢＢを右１ピッチとした後、ループ５１を前ベッドＦＢの針Ｊに目移しする。コース２６では更に続く伏目ループ５２を形成し、コース２７ではループ５２を後ベッドＢＢの針ｉに目移しし、更にコース２８で前ベッドＦＢの針Ｆに目移しして後ループ群のループ５３と重ねる。コース２９では前ベッドＦＢの針Ｉの重ね目に給糸し２列目の伏目編目列に伏目ループ５４を形成する。コース３０ではループ５４を後ベッドＢＢの針ｉに目移しする。コース３１では伏目ループ５５を形成し、コース３２ではループ５５を前ベッドＦＢの針Ｉに目移しし、コース３３で後ベッドＢＢを右３ピッチとした後、後ベッドＢＢの針ｆに目移しして前ループ群のループ５６と重ねる。続いてコース３４では後ベッドＢＢの振りを戻して後ベッドＢＢの針ｈの重ね目に給糸して３列目の伏目編目列に次コースの伏目ループ５７を形成する。コース３５では後ベッドＢＢを右１ピッチとした後、コース３４で形成したループ５７を前ベッドＦＢの針Ｉに目移しし、コース３６では更に続く伏目ループ５８を形成する。コース３７ではループ５８を後ベッドＢＢの針ｈに目移しし、コース３８では後ベッドＢＢを左３ピッチとした後、前ベッドＦＢの針Ｅに目移しして前ループ群のループ５９と重ねる。コース３９では後ベッドＢＢの振りを戻した後、針Ｈの重ね目に給糸して４列目の伏目編目列に次コースの伏目ループ６０を形成し、コース４０ではループ６０を後ベッドＢＢの針ｈに目移しする。コース４１では続く伏目ループ６１を形成し、コース４２で前ベッドＦＢの針Ｈに目移しし、コース４３で後ベッドＢＢを右３ピッチとした後、後ベッドＢＢの針ｅに目移しして後ループ群のループ６２と重ねる。
以降コース２４〜２８で示される１列目の伏目編目列を形成する編成、コース２９〜３３で示される２列目の伏目編目列を形成する編成、コース３４〜３８で示される３列目の伏目編目列を形成する編成、コース３９〜４３で示される４列目の伏目編目列を形成する編成を、編成対象となるループを変更しながら伏目処理の進行方向に向かって繰り返す。以上の編成を行うことで、コース４において前ベッドＦＢの針Ｋ・Ｌおよび後ベッドＢＢの針ｋ・ｌを始点とする４つの伏目編目列が前ループ群と後ループ群へとジグザグ状にのび、各伏目編目列が交差するように伏目処理される。
上記編成により伏目処理された編地は、伏目ループ３３、３７、４１、４６、５２、５５、５８、６１が編地の編成完了時に編地の最終ループ３４、３８、４２、４８、５３、５６、５９、６２の下側となるように重ねられるので、伏目ループ３３、３７、４１、４６、５２、５５、５８、６１は、編地の最終ループ３４、３８、４２、４８、５３、５６、５９、６２の下に潜り込む。したがって、向きの異なる伏目ループが編地終端部の表側に現れない。また、前ループ群に含まれる編地の最終ループと、後ループ群に含まれる編地の最終ループが交差し互いに引き寄せられて隙間が塞がれる。
なお、上記実施例では４目のループを始点として４列の伏目編目列を形成したが、編地側端から前ループ群および後ループ群の側端ウエールのループのそれぞれのループ群の側端のループである針Ｌおよび針ｌのループを起点として少なくとも２列以上の伏目編目列を形成すればよい。上記実施例のように、３列以上の伏目編目列を形成した場合には、伏目編目列同士の交差が複雑となり伏目編目列の伏目ループをより確実に隠すことができる。また、上記第二実施例においては２×１リブ編組織の場合を説明したが、２×１リブ編組織に限らず他の編組織、例えば１×１リブ編、２×２リブ編等の編組織で編成される編地も伏目処理することができる。
産業上の利用可能性
伏目処理部にループの向きが異なる伏目編目列の伏目ループが編地端縁に現れず、伏目処理部が編出し部に似た外観となるとともに、伸張性に優れた伏目処理部を形成できる。
【図面の簡単な説明】
第１図は伏目処理された編地を示す図であり、第２図は第一実施例を示す編成コース図であり、第３図は第一実施例を示す編成コース図であり、第４図は第一実施例を示す編成コース図であり、第５図は第一実施例を示す編成コース図であり、第６図は伏目処理された筒状編地を示す図であり、第７図は第一実施例の変形例を示す編成コース図であり、第８図は第二実施例を示す編成コース図であり、第９図は第二実施例を示す編成コース図であり、第１０図は第二実施例を示す編成コース図であり、第１１図は第二実施例を示す編成コース図であり、第１２図は第二実施例を示す編成コース図であり、第１３図は第二実施例を示す編成コース図であり、第１４図は第二実施例を示す編成コース図である。
【図１】
0003987802.tif 000002
【図２】
0003987802.tif 000003
【図３】
0003987802.tif 000004
【図４】
0003987802.tif 000005
【図５】
0003987802.tif 000006
【図６】
0003987802.tif 000007
【図７】
0003987802.tif 000008
【図８】
0003987802.tif 000009
【図９】
0003987802.tif 000010
【図１０】
0003987802.tif 000011
【図１１】
0003987802.tif 000012
【図１２】
0003987802.tif 000013
【図１３】
0003987802.tif 000014
【図１４】
0003987802.tif 000015